(57)【要約】【課題】与えられるｘｖＹＣＣ規格映像信号をディスプレイにバランスよく表示させるためにＲＧＢ規格映像信号に変換する映像信号変換装置及び映像信号変換方法を提供する。【解決手段】映像信号を受け、この映像信号がｘｖＹＣＣ規格映像信号か、ＹＣＢＣＲ規格映像信号かを判断する判断部１１と、判断部が映像信号をｘｖＹＣＣ規格映像信号と判断する場合、ｘｖＹＣＣ規格映像信号をＲＧＢ規格映像信号に変換して出力する第1変換部１３と、判断部が映像信号をＹＣＢＣＲ規格映像信号と判断する場合、ＹＣＢＣＲ規格映像信号をＲＧＢ規格映像信号に変換して出力する第２変換部１２をもつ映像信号変換装置。【選択図】      図１
2008187695.tif 000002
【特許請求の範囲】
【請求項１】
映像信号を受け、この映像信号がｘｖＹＣＣ規格映像信号か、ＹＣＢＣＲ規格映像信号かを判断する判断部と、
前記判断部が前記映像信号を前記ｘｖＹＣＣ規格映像信号と判断する場合、前記ｘｖＹＣＣ規格映像信号をＲＧＢ規格映像信号に変換して出力する第1変換部と、
前記判断部が前記映像信号を前記ＹＣＢＣＲ規格映像信号と判断する場合、前記ＹＣＢＣＲ規格映像信号を前記ＲＧＢ規格映像信号に変換して出力する第２変換部と、
を具備することを特徴とする映像信号変換装置。
【請求項２】
前記第１変換部は、外部から指示信号を受けこれに応じて、複数の変換方法の内の一つを選択して選択された変換方法に基づいて、前記ｘｖＹＣＣ規格映像信号をＲＧＢ規格映像信号に変換することを特徴とする請求項１記載の映像信号変換装置。
【請求項３】
前記映像信号の信号分布を検出しこの信号分布に基づいて、複数の変換方法の内の一つを選択して選択された変換方法に基づいて、前記ｘｖＹＣＣ規格映像信号をＲＧＢ規格映像信号に変換することを特徴とする請求項１記載の映像信号変換装置。
【請求項４】
前記判断部は、前記映像信号に基づいて、この映像信号がｘｖＹＣＣ規格映像信号かＹＣＢＣＲ規格映像信号かを判断することを特徴とする請求項１記載の映像信号変換装置。
【請求項５】
前記第１変換部は、前記ｘｖＹＣＣ規格映像信号に対して、前記ＹＣＢＣＲ規格映像信号を前記ＲＧＢ規格映像信号に変換する変換処理を行い、更に変換後のＲＧＢ規格映像信号に対して、この値がゼロ以下である場合は前記ＲＧＢ規格映像信号をゼロに変換し、変換後のＲＧＢ規格映像信号がゼロ以上である場合は前記変換後のＲＧＢ規格映像信号に比例した大きさの信号に変換する線形補正方式による変換を行なうことを特徴とする請求項１記載の映像信号変換装置。
【請求項６】
前記第１変換部は、前記ｘｖＹＣＣ規格映像信号に対して、前記ＹＣＢＣＲ規格映像信号を前記ＲＧＢ規格映像信号に変換する変換処理を行い、更に変換後のＲＧＢ規格映像信号に対して、変換後のＲＧＢ規格映像信号がゼロ以下である場合は前記ＲＧＢ規格映像信号をゼロに変換し、変換後のＲＧＢ規格映像信号がゼロ以上所定値以下である場合は前記ＲＧＢ規格映像信号に比例した大きさの前記ＲＧＢ規格映像信号に変換し、変換後のＲＧＢ規格映像信号が“１”となる場合は、これを“０．９２”に変換し、変換後のＲＧＢ規格映像信号が “１”以上となる場合は、予め用意したガンマ補正値にそれぞれ変換する非線形ガンマ補正方式による変換を行なうことを特徴とする請求項１記載の映像信号変換装置。
【請求項７】
前記第１変換部は、前記ｘｖＹＣＣ規格映像信号に対して、前記ＹＣＢＣＲ規格映像信号を前記ＲＧＢ規格映像信号に変換する変換処理を行い、更に変換後のＲＧＢ規格映像信号に対して、変換後のＲＧＢ規格映像信号がゼロ以下である場合は前記ＲＧＢ規格映像信号をゼロに変換し、変換後のＲＧＢ規格映像信号がゼロ以上所定値以下である場合は前記ＲＧＢ規格映像信号に比例した大きさの前記ＲＧＢ規格映像信号に変換し、変換後のＲＧＢ規格映像信号が“１”となる場合は、これを“任意値”に変換し、変換後のＲＧＢ規格映像信号が “１”以上となる場合は、予め用意したガンマ補正値にそれぞれ変換する非線形ガンマ補正方式による変換を行なうことを特徴とする請求項１記載の映像信号変換装置。
【請求項８】
前記第１変換部は、前記ｘｖＹＣＣ規格映像信号に対して、前記ＹＣＢＣＲ規格映像信号を前記ＲＧＢ規格映像信号に変換する変換処理を行い、更に変換後のＲＧＢ規格映像信号に対して、変換後のＲＧＢ規格映像信号がゼロ以下である場合はゼロに変換し、変換後のＲＧＢ規格映像信号がゼロ以上１以下であればそのままとし、変換後のＲＧＢ規格映像信号が１以上の場合は１に変換して出力することを特徴とする請求項１記載の映像信号変換装置。
【請求項９】
放送信号を受信し復調して得られる映像信号を前記判断部及び前記第１変換部または第２変換部に出力するチューナ部と、
前記第１変換部または第２変換部から出力された前記ＲＧＢ規格映像信号に基づいて、画面に映像を表示する映像表示部を更に具備することを特徴とする請求項１記載の映像信号変換装置。
【請求項１０】
映像信号を受け、これがｘｖＹＣＣ規格映像信号か、ＹＣＢＣＲ規格映像信号かを判断し、
前記映像信号を前記ｘｖＹＣＣ規格映像信号と判断する場合、前記ｘｖＹＣＣ規格映像信号をＲＧＢ規格映像信号に変換して出力し、
前記映像信号を前記ＹＣＢＣＲ規格映像信号と判断する場合、前記ＹＣＢＣＲ規格映像信号を前記ＲＧＢ規格映像信号に変換して出力することを特徴とする映像信号変換方法。
【発明の詳細な説明】
【技術分野】
【０００１】
この発明は、ｘｖＹＣＣ規格映像信号を扱う映像信号変換装置及び映像信号変換方法に関する。
【背景技術】
【０００２】
最近、デジタル映像装置が非常に普及してきており、高密度、高品質の映像を多くのユーザが視聴する状況となりつつある。このような中で、従来のＣＲＴによる表示装置では表現できなかった、より表現力のある色表現が望まれてきている。これに対して、ｘｖＹＣＣ規格という動画像に向けた色空間規格が知られている。すなわち、従来のｓＲＧＢ規格よりも広い色空間をもち、例えば、マルセルカラーカスケードと呼ばれる高彩度の色票への対応で比較すると、ｓＲＧＢ規格では、５５％であるのに対して、ｘｖＹＣＣ規格では、１００％対応することができる。
【０００３】
特許文献１には、デジタルカメラにより取得された画像データに対して、特定対象に対する階調を反映し、メニューから色補正条件を選択可能とする技術が開示されている。
【特許文献１】特開２００２−１６８７４号公報
【発明の開示】
【発明が解決しようとする課題】
【０００４】
しかしながら、このようなｘｖＹＣＣ規格の映像信号を現在のディスプレイ等でどのように表示するために、最終的に例えばＲＧＢ規格映像信号にどのように変換するかは、開示されていないという問題がある。
【０００５】
本発明は、与えられるｘｖＹＣＣ規格映像信号をディスプレイに表示させるためにＲＧＢ規格映像信号に変換する映像信号変換装置及び映像信号変換方法を提供することを目的とする。
【課題を解決するための手段】
【０００６】
課題を解決するための一実施形態は、
映像信号を受け、この映像信号がｘｖＹＣＣ規格映像信号か、ＹＣＢＣＲ規格映像信号かを判断する判断部と、
前記判断部が前記映像信号を前記ｘｖＹＣＣ規格映像信号と判断する場合、前記ｘｖＹＣＣ規格映像信号をＲＧＢ規格映像信号に変換して出力する第1変換部と、
前記判断部が前記映像信号を前記ＹＣＢＣＲ規格映像信号と判断する場合、前記ＹＣＢＣＲ規格映像信号を前記ＲＧＢ規格映像信号に変換して出力する第２変換部と、
を具備することを特徴とする映像信号変換装置である。
【発明の効果】
【０００７】
従来のｓＲＧＢ規格よりも広い色空間をもつｘｖＹＣＣ規格の映像信号に応じた映像を表示画面に表示するためのＲＧＢ規格映像信号を提供することができる。
【発明を実施するための最良の形態】
【０００８】
以下、この発明の実施の形態について図面を参照して詳細に説明する。
【０００９】
＜本発明の一実施形態である映像信号変換装置の一例＞
次に、本発明の一実施形態である映像信号変換装置の一例を図面を用いて詳細に説明する。図１は、本発明の一実施形態に係る映像信号変換装置が扱うｘｖＹＣＣ規格映像信号に対応するＲＧＢ変換部の一例を示すブロック図、同様に、図２は、本発明の一実施形態に係る映像信号変換装置が扱うｘｖＹＣＣ規格映像信号に対応するＲＧＢ変換部の他の一例を示すブロック図である。
【００１０】
（構成）
本発明の一実施形態に係るｘｖＹＣＣ対応ＲＧＢ変換部１４５は、図１に示すように、複数の変換方法から一つの変換方法を特定する設定機能をもったｘｖＹＣＣ判断部１１と、ＹＣＢＣＲ規格映像信号をＲＧＢ規格映像信号に変換するＹＣＢＣＲ／ＲＧＢ変換部１２と、ｘｖＹＣＣ／ＲＧＢ変換部１３を有している。また、ｘｖＹＣＣ判断部１１は、映像信号と供に、ユーザの操作等により与えられる複数の変換部から一つの変換部を選ぶ選択信号ｎ１が供給される。
【００１１】
更に、ｘｖＹＣＣ／ＲＧＢ変換部１３は、第１変換部１４と、第２変換部１５と、第３変換部１６と、第４変換部１７を少なくとも有している。これら変換部１４乃至１７の機能は、以下に詳述する。
【００１２】
また、ここで、ＹＣＢＣＲ／ＲＧＢ変換部１２の変換機能は、以下の式（１）乃至式（３）で説明される。この式は、Ｒ信号、Ｇ信号、Ｂ信号と、ＹＣＢＣＲ規格映像信号のＹ信号と、ＣＢ信号と、ＣＲ信号との関係を述べたものである。
【００１３】
Ｒ＝１×Ｙ      ＋              ０×ＣＢ   ＋１．５７４８０１×ＣＲ      式（１）
Ｇ＝１×Ｙ      −０．１８７３２４×ＣＢ   −０．４６８１２４×ＣＲ      式（２）
Ｂ＝１×Ｙ      ＋１．８５５６０１×ＣＢ    ＋             ０×ＣＲ      式（３）
（他の構成：自動選択機能）
また、図２を用いて、本発明の一実施形態に係る映像信号変換装置が扱うｘｖＹＣＣ規格映像信号対応ＲＧＢ変換部の他の一例（自動選択機能）を説明する。図２のＲＧＢ変換部１４５’は、図１のＲＧＢ変換部１４５とほぼ同等な構成を有しているが、与えられる映像信号の信号分布を検出し、この信号分布に基づいて、後述する第１変換部１４乃至第４変換部１７の内のどれか一つを自動的に選択するための自動選択信号ｎ２をｘｖＹＣＣ／ＲＧＢ変換部１３に供給するものである。この選択基準の一つとして、ｘｖＹＣＣ規格映像信号の中にＹＣＢＣＲ規格映像信号では含まれないｘｖＹＣＣ規格映像信号固有の色信号成分（図４参照）がどの程度含んでいるかの判断により、変換部を決定することが好適である。
【００１４】
（動作）
次に、上述したＲＧＢ変換部１４５の変換処理について、以下に図３のフローチャートを用いて詳細に説明する。なお、以下の図３のフローチャートの各ステップは、回路ブロックに置き換えることができ、従って、各フローチャートのステップは、全てブロックに定義しなおすことが可能である。また、プログラムとこのプログラムを処理するＣＰＵによるマイクロコンピュータの構成によっても実現することが可能である。
【００１５】
初めに、ｘｖＹＣＣ判断部１１に映像信号が供給されると、ｘｖＹＣＣ判断部１１は、供給された映像信号がｘｖＹＣＣ規格映像信号なのかＹＣＢＣＲ規格映像信号なのかを判断する（ステップＳ１１）。その手法は、多くの方法が可能であるが、一例として、映像信号を一定期間観測して、この映像信号が、図４に後述する色空間の色域のどこに分布するかに基づき判断することが好適である。
【００１６】
すなわち、与えられた映像信号が色域Ａ０全体に分布しており、特に、色域Ａ２に分布する信号が一定以上存在すれば、与えられた映像信号は、ｘｖＹＣＣ規格映像信号であると判断できる。逆に、与えられた映像信号が色域Ａ１のみに分布しており、色域Ａ２に分布する信号が一定以下であれば、与えられた映像信号は、ＹＣＢＣＲ規格映像信号であると判断できる。
【００１７】
それ以外にも、後に図１１乃至図１６で詳述するように、与えられた映像信号の信号種類を、例えば、ＨＤＭＩ（High-Definition Multimedia Interface）の識別信号に基づいて判断することも好適である。
【００１８】
このようにして、与えられた映像信号をｘｖＹＣＣ判断部１１がｘｖＹＣＣ映像信号と判断すれば、設定に応じて変換方法を特定する（ステップＳ１３）。この設定方法は、一例として、図示しないｘｖＹＣＣ判断部１１に内蔵するディップスイッチで第１変換部１４乃至第４変換部１７の内の一つを設定することが好適である。それ以外にも、ユーザ選択信号ｎ１により選択されることが好適である。更に、図２で示したｘｖＹＣＣ判断部１１の自動選択機能を用いて決定することが好適である。更に、図１０で示す放送受信装置１００の操作部１３２等から表示部１３３に表示された候補から、ユーザの操作により特定することが好適である（ステップＳ１３）。
【００１９】
その後、与えられたｘｖＹＣＣ規格映像信号は、ｘｖＹＣＣ／ＲＧＢ変換部１３の特定された第１変換部１４乃至第４変換部１７の内の一つにより変換される（ステップＳ１４）。
【００２０】
一方、ステップＳ１２で、与えられた映像信号が、ＹＣＢＣＲ規格映像信号であると判断された場合は、上述した式（１）乃至式（３）に従って、ＲＧＢ規格映像信号に変換されて出力される（ステップＳ１５）。
【００２１】
次に、ｘｖＹＣＣ／ＲＧＢ変換部１３の変換処理を説明するが、その前に、ｘｖＹＣＣ規格映像信号について、簡単に説明する。
【００２２】
（ｘｖＹＣＣ規格映像信号）
ｘｖＹＣＣ規格映像信号は、２００５年１０月にＩＥＣ（International Electrotechnical Commission:国際電気標準会議）で承認された色空間の国際標準規格であって、正式名称は、『ＩＥＣ６１９６６−２−４』といい、自然界に存在し、人間の目が認識できるほとんどの“物体色”をカバーできる色空間を定義するものである。物体色の種類を示すマンセル色票（Ａ・Ｈ・マンセルが考案したマンセルブックに示されている色票）に対しても「ほぼ１００％」の表現が対応する規格である。
【００２３】
図４は、本発明の一実施形態に係る映像信号変換装置が扱うｘｖＹＣＣ規格映像信号の簡易２次元の説明図である。ここで、従来のｓＲＧＢとｘｖＹＣＣとの色空間を図４で説明すると、ｘｖＹＣＣの色域Ａ０に対して、ｓＲＧＢの従来色域Ａ１と、ｘｖＹＣＣで拡張された色域Ａ２とが図４上に定義されている。
【００２４】
（ＹＣＢＣＲ規格映像信号／ｘｖＹＣＣ規格映像信号）
また、図５は、本発明の一実施形態に係る映像信号変換装置が扱うＹＣＢＣＲ規格映像信号とｘｖＹＣＣ規格映像信号とＲＧＢ規格映像信号との関係を示す説明図である。
【００２５】
すなわち、図５の（ａ）が示す従来のＹＣＢＣＲ規格映像信号は、Ｒ信号について、最小値“０”乃至最大値“１”の範囲で色変換がなされる。同様に、Ｇ信号も、最小値“０”乃至最大値“１”の範囲で色変換がなされる。同様に、Ｂ信号も、最小値“０”乃至最大値“１”の範囲で色変換がなされる。
【００２６】
しかし、図５の（ｂ）が示すｘｖＹＣＣ規格映像信号は、従来の手法（上述した式（１）乃至（３））でＲＧＢ規格信号へと変換すると、少なくとも、図４のｘｖＹＣＣで拡張された色域Ａ２が存在しているので、同様に、Ｒ信号も、最小値“−０．７８７４”乃至最大値“１．７８７４”の範囲で色変換がなされる。Ｇ信号は、最小値“−０．３２７７”乃至最大値“１．３２７７”の範囲で色変換がなされる。Ｂ信号は、最小値“−０．９２７８”乃至最大値“１．９２７８”の範囲で色変換がなされるものである。
【００２７】
＜ｘｖＹＣＣ／ＲＧＢ変換部の動作＞
次に、図１等のｘｖＹＣＣ／ＲＧＢ変換部１３の各部の動作について、詳細に説明する。すなわち、上述した式（１）乃至（３）により、ｘｖＹＣＣ規格映像信号をそのまま変換すると、それぞれ、図５の（ｂ）の表に示すように、−０．９から１．９等のように、“０”から“１”の間に収まらない値となる。従って、それを“０”から“１”の間の値に収めるための変換方法（入力ＲＧＢを出力ＲＧＢに変換）が、以下のように複数種類考えられ、それを逐一説明していく。
【００２８】
（第１変換部：線形補正方式）
第１変換部１４の変換処理は、線形補正方式と呼ぶべきものである。
【００２９】
すなわち、ｘｖＹＣＣ規格映像信号のＲＧＢ信号の “０”から最大値までの間を線形補正する方式である。ｘｖＹＣＣ規格映像信号は、上述した式（１）乃至（３）により変換後の入力ＲＧＢ信号が“０”以下は、例えば、出力ＲＧＢ信号は“０”にクリップされる。変換後の入力ＲＧＢ信号が“０”以上であれば、出力ＲＧＢは線形比例した値をとるものである。
【００３０】
（第２変換部：非線形ガンマ補正方式（変化点：固定））
第２変換部１５の変換処理は、非線形ガンマ補正方式と呼ぶべきものである。
【００３１】
変化点は、固定とされる。すなわち、ｘｖＹＣＣ規格映像信号は、上述した式（１）乃至（３）により変換後の入力ＲＧＢ信号が“０”以下は、出力ＲＧＢ信号は“０”にクリップされる。入力ＲＧＢ信号が “０”以上“０．９２”以下について線形補正がなされる。入力ＲＧＢ信号が“１”以上の範囲は、ガンマ補正データを予め用意して、非線形ガンマ補正を行なう。変換後の入力ＲＧＢ信号が“１”に対応する点は、従来の方式の範囲外となる点（２５６中２３５等の点）に固定する。
【００３２】
（第３変換部：非線形ガンマ補正方式（変化点：可変））
第３変換部１６の変換処理は、非線形ガンマ補正方式と呼ぶべきものである。
【００３３】
変化点は、可変とされる。すなわち、ｘｖＹＣＣ規格映像信号は、上述した式（１）乃至（３）により変換後の入力ＲＧＢ信号が“０”以下は、出力ＲＧＢ信号は“０”にクリップされる。入力ＲＧＢ信号が“０”以上“任意値”につき線形補正がなされる。入力ＲＧＢ信号が“１”以上の範囲は、ガンマ補正データを予め用意して、非線形ガンマ補正を行なう方式である。入力ＲＧＢ信号が“１”に対応する点は、“任意値”として適宜変化させるものである。
【００３４】
（第４変換部：補正オフ）
第４変換部１７の変換処理は、補正オフ（クリップ方式）と呼ぶべきものである。
【００３５】
ここでは、ｘｖＹＣＣ規格映像信号に固有の変換処理を行なわない。ＹＣＢＣＲ規格映像信号を式（１）乃至式（３）で処理した入力ＲＧＢ信号について、変換後の入力ＲＧＢ信号が“０”以下は、出力ＲＧＢ信号は“０”にクリップされる。同様に、変換後の入力ＲＧＢ信号が“１”以上であれば、出力ＲＧＢ信号は“１”にクリップされる。
【００３６】
以上にのべた第１乃至第４変換部の変換処理や、これらの処理に準じた変換処理を、ユーザの設定に応じて選択したり、予めデフォルトで与えられた値により特定する。そして、選択された一つの変換処理により、ＹＣＢＣＲ規格映像信号のＲＧＢ変換処理を行なう。これにより、従来では十分表示できなかったＹＣＢＣＲ規格映像信号に対しても、バランスのとれた映像表示を可能とするものである。
【００３７】
＜本発明の一実施形態に係るｘｖＹＣＣ対応ＲＧＢ変換部を用いた放送受信装置＞
次に、上述したｘｖＹＣＣ対応ＲＧＢ変換部を用いた放送受信装置の一例を図面を用いて詳細に説明する。
【００３８】
（放送受信装置の構成と動作）
図１０は、本発明の一実施形態に係るガンマ補正回路を用いた放送受信装置の構成の一例を示すブロック図である。放送受信装置１００は、図１０に示すようにテレビジョン装置であり、制御部１３０は全体の動作を司るべくデータバスを介して各部に接続されている。
【００３９】
又、図１０の放送受信装置１００は、再生側を構成するＭＰＥＧデコーダ部１１６と、装置本体の動作を制御する制御部１３０とを主たる構成要素としている。放送受信装置１００は、入力側のセレクタ１１４と出力側のセレクタ１１９とを有しており、入力側のセレクタ１１４には、ＨＤＭＩ等を含む入力部１１０と、ＢＳ／ＣＳ／地上波デジタルチューナ部１１２と、ＢＳ／地上波アナログチューナ部１１３とが接続される。また、ＬＡＮ等やメール機能をもった通信部１１１が、制御部１３０に接続されるメインケーブルに接続される。
【００４０】
更に、放送受信装置１００は、ＭＰＥＧデコーダ部１１６、分離部１１７、チューナ部からの映像情報等を適宜記録する記憶部１３５と、放送信号等から電子番組情報を取得して画面表示等を行なう電子番組情報処理部１３６を有している。これらの各部は、データバスを介して制御部１３０に接続されている。更に、セレクタ部１１９の出力は、表示部１２１に接続され、外部装置との通信を行うインタフェース部１２２を介して外部装置に供給される。
【００４１】
更に、放送受信装置１００は、データバスを介して制御部１３０に接続され、ユーザの操作やリモコンＲの操作を受ける操作部１３２を有している。ここで、リモコンＲは、放送受信装置１００の本体に設けられる操作部１３２とほぼ同等の操作を可能とするものであり、チューナの操作等、各種設定が可能である。
【００４２】
この放送受信装置１００は、放送信号が受信アンテナから各チューナ部１１２，１１３に入力され、ここで選局が行われる。選局された映像音声信号は、ＭＰＥＧデコーダ部１１６等でデコード処理され、映像処理部１１８に供給される。映像処理部１１８は、インターレス信号をプログレッシブに変換するＩＰ変換部１４１と、コアリング処理及びエンハンス処理を行なう画質処理部１４２と、スケーリング処理を行なうスケーリング部１４３と、映像信号のγ補正を行なうγ補正部１４４と、ｘｖＹＣＣ対応ＲＧＢ変換部１４５を有している。
【００４３】
これらの入力信号は、制御部１３０により管理され、映像処理部１１８に入力する信号に切り換えられる。また選局及び入力切換を行うべく、リモコンＲからの操作信号が操作部１３２を介して制御部１３０に供給され、この結果、ＭＰＥＧデコーダ部１１６や映像処理部１１８が制御される。映像処理部１１８で処理された映像信号がセレクタ部１１９を介して表示部１２１に表示される。又、音声信号も図示しないスピーカ等に供給される。
【００４４】
以上、詳細に説明したように、本発明の一実施形態によれば、従来のＹＣＢＣＲ規格映像信号だけでなく、ｘｖＹＣＣ規格映像信号が与えられても、適切なＲＧＢ変換処理を行なわれることで、バランスのとれた色表現を平面ディスプレイ等の表示部１２１にて表示することができる。
【００４５】
＜ＨＤＭＩの識別信号を用いたｘｖＹＣＣ規格映像信号の識別方法＞
次に、ＨＤＭＩの識別信号を利用したｘｖＹＣＣ規格映像信号の識別方法について、図１１乃至図１６を用いて詳細に説明する。図１１は、本発明の一実施形態に係る映像信号変換装置に関わるＨＤＭＩ規格のソース・シンク間の通信の一例を示す説明図、図１２は、本発明の一実施形態に係る映像信号変換装置に関わるＨＤＭＩ規格のオペレーティングモードの一例を示す説明図である。更に、図１３は、本発明の一実施形態に係る映像信号変換装置に関わるＨＤＭＩ規格のパケットヘッダの一例を示す説明図、図１４は、本発明の一実施形態に係る映像信号変換装置に関わるＨＤＭＩ規格のパケットタイプの一例を示す説明図、図１５は、本発明の一実施形態に係る映像信号変換装置に関わるＨＤＭＩ規格のＡＶＩインフォフレームデータの一例を示す説明図、図１６は、本発明の一実施形態に係る映像信号変換装置に関わるＨＤＭＩ規格のＡＶＩインフォフレームデータの中の色空間データの一例の説明図である。
【００４６】
すなわち、ＨＤＭＩ規格は、そのパケットヘッダに映像信号の識別信号を含んでおり、上述したｘｖＹＣＣ判断部１１により、この識別信号を識別することで、映像信号がｘｖＹＣＣ規格映像信号かＹＣＢＣＲ規格映像信号かを判断することができる。
【００４７】
図１１で示すＨＤＭＩ規格でソース側とシンク側で通信が行なわれている際に、図１２に示すようなオペレーティングモードで特定されるデータアイランドピリオド（Data Island Period）（矢印）が、垂直ブランキング期間及び水平ブランキング期間に存在する。このデータアイランドピリオドには、図１３で示されるパケットヘッダ（Packet Header）が含まれており、特に、ＨＢ０（矢印）の“Packet Type”に注目する。
【００４８】
図１４のパケットタイプにおいて、“０ｘ８２”（矢印）は、“ＡＶＩ  ＩｎｆｏＦｒａｍｅ”を意味しており、図１５の“Ｄａｔａ  Ｂｙｔｅ２”（矢印）の“Ｃ１”と“Ｃ０”の値が、図１６に定義されているように、（Ｃ１，Ｃ０）＝（０，１）または（１，０）の場合は、与えられた映像信号は、ＹＣＢＣＲ規格映像信号であることを意味する。
【００４９】
同様に、（Ｃ１，Ｃ０）＝（１，１）の場合は、与えられた映像信号は、ｘｖＹＣＣ規格映像信号であることがわかる。
【００５０】
これにより、ｘｖＹＣＣ判断部１１は、映像信号がｘｖＹＣＣ規格映像信号かＹＣＢＣＲ規格映像信号かを判断するものである。
【００５１】
以上、詳細に説明したように本発明に係る実施形態である映像信号変換装置によれば、与えられる映像信号がｘｖＹＣＣ規格映像信号か従来のＹＣＢＣＲ規格映像信号かを判断し、ユーザが指定する変換方法で適切な色のバランスによりディスプレイに画面表示させるものである。
【００５２】
以上記載した様々な実施形態により、当業者は本発明を実現することができるが、更にこれらの実施形態の様々な変形例を思いつくことが当業者によって容易であり、発明的な能力をもたなくとも様々な実施形態へと適用することが可能である。従って、本発明は、開示された原理と新規な特徴に矛盾しない広範な範囲に及ぶものであり、上述した実施形態に限定されるものではない。
【図面の簡単な説明】
【００５３】
【図１】本発明の一実施形態に係る映像信号変換装置が扱うｘｖＹＣＣ規格映像信号に対応するＲＧＢ変換部の一例を示すブロック図。
【図２】本発明の一実施形態に係る映像信号変換装置が扱うｘｖＹＣＣ規格映像信号に対応するＲＧＢ変換部の他の一例（自動選択機能）を示すブロック図。
【図３】本発明の一実施形態に係る映像信号変換装置が扱うｘｖＹＣＣ規格映像信号の処理の一例を示すフローチャート。
【図４】本発明の一実施形態に係る映像信号変換装置が扱うｘｖＹＣＣ規格映像信号の簡易２次元の説明図。
【図５】本発明の一実施形態に係る映像信号変換装置が扱うＹＣＢＣＲ規格映像信号とｘｖＹＣＣ規格映像信号とＲＧＢ規格映像信号との関係をしめす説明図。
【図６】本発明の一実施形態に係る映像信号変換装置のｘｖＹＣＣ規格映像信号の処理方法（線形補正方式）の一例を示すグラフ。
【図７】本発明の一実施形態に係る映像信号変換装置のｘｖＹＣＣ規格映像信号の処理方法（非線形ガンマ補正方式／固定変化点）の一例を示すグラフ。
【図８】本発明の一実施形態に係る映像信号変換装置のｘｖＹＣＣ規格映像信号の処理方法（非線形ガンマ補正方式／可変変化点）の一例を示すグラフ。
【図９】本発明の一実施形態に係る映像信号変換装置のｘｖＹＣＣ規格映像信号の処理方法（補正オフ）の一例を示すグラフ。
【図１０】本発明の一実施形態に係る映像変換部を含む映像表示装置の構成の一例を示すブロック図。
【図１１】本発明の一実施形態に係る映像信号変換装置に関わるＨＤＭＩ規格のソース・シンク間の通信の一例を示す説明図。
【図１２】本発明の一実施形態に係る映像信号変換装置に関わるＨＤＭＩ規格のオペレーティングモードの一例を示す説明図。
【図１３】本発明の一実施形態に係る映像信号変換装置に関わるＨＤＭＩ規格のパケットヘッダの一例を示す説明図。
【図１４】本発明の一実施形態に係る映像信号変換装置に関わるＨＤＭＩ規格のパケットタイプの一例を示す説明図。
【図１５】本発明の一実施形態に係る映像信号変換装置に関わるＨＤＭＩ規格のＡＶＩインフォメーションデータの一例を示す説明図。
【図１６】本発明の一実施形態に係る映像信号変換装置に関わるＨＤＭＩ規格のＡＶＩインフォフレームデータの中の色空間データの一例の説明図。
【符号の説明】
【００５４】
１１…ｘｖＹＣＣ判断部、１２…ＹＣＢＣＲ／ＲＧＢ変換部、１３…ｘｖＹＣＣ／ＲＧＢ変換部、１４…ｘｖＹＣＣ／ＲＧＢ変換部（線形補正）、１５…ｘｖＹＣＣ／ＲＧＢ変換部（非線形補正ガンマ補正）、１６…ｘｖＹＣＣ／ＲＧＢ変換部（ゲイン２倍補正）、１７…ｘｖＹＣＣ／ＲＧＢ変換部（補正オフ）。
【図１】
2008187695.tif 000003
【図２】
2008187695.tif 000004
【図３】
2008187695.tif 000005
【図４】
2008187695.tif 000006
【図５】
2008187695.tif 000007
【図６】
2008187695.tif 000008
【図７】
2008187695.tif 000009
【図８】
2008187695.tif 000010
【図９】
2008187695.tif 000011
【図１０】
2008187695.tif 000012
【図１１】
2008187695.tif 000013
【図１２】
2008187695.tif 000014
【図１３】
2008187695.tif 000015
【図１４】
2008187695.tif 000016
【図１５】
2008187695.tif 000017
【図１６】
2008187695.tif 000018